(57)【要約】【課題】  給湯温度の変動を排除して安定した給湯を行うことのできる貯留式給湯装置、および、この貯留式給湯装置を用いたコージェネレーションシステムを提供する。【解決手段】  熱源部１０で加熱した湯水を貯留タンク１３に貯留し、貯留した湯水または補助熱源部１２で加熱した湯水の少なくともいずれかを給湯する貯留式給湯装置２であって、貯留タンク１３の湯水の温度および貯留量を検出する貯留状態検出手段１４を備え、貯留タンク１３には、定常貯留温度の湯水と、補助熱源部１２の加熱を受けて給湯可能な低温貯留温度の湯水が貯留され、低温貯留温度に加熱された湯水を所定の第２貯留量だけ貯留する低温貯留を行い、低温貯留の後に、定常貯留温度に加熱された湯水を第１貯留量だけ貯留する定常貯留を行う構成。【選択図】    図１
2005207618.tif 000002
【特許請求の範囲】
【請求項１】
熱源部で加熱された湯水を貯留タンクに温度成層を形成しつつ貯留し、貯留された湯水または補助熱源部で加熱された湯水の少なくともいずれかを用いて給湯を行う貯留式給湯装置であって、前記貯留タンクに貯留される温度成層毎の湯水の温度および貯留量を検出する貯留状態検出手段を備えると共に、前記貯留タンクには、前記補助熱源部による補助加熱を受けずに給湯可能な定常貯留温度の湯水と、当該定常貯留温度よりも低く前記補助熱源部による補助加熱を受けて給湯可能な低温貯留温度の湯水とが貯留され、前記定常貯留温度の湯水の貯留に先立って、前記熱源部によって低温貯留温度に加熱された湯水を所定の第２貯留量を上限として貯留タンクに貯留する低温貯留を行い、当該低温貯留が完了した後に、前記熱源部によって定常貯留温度に加熱された湯水を所定の第１貯留量を上限として貯留タンクに貯留する定常貯留を行うことを特徴とする貯留式給湯装置。
【請求項２】
前記貯留タンクに貯留される低温貯留温度の湯水が給湯によって前記第２貯留量未満に減少したときは前記低温貯留を開始し、当該低温貯留が完了した後に前記定常貯留に移行することを特徴とする請求項１に記載の貯留式給湯装置。
【請求項３】
前記貯留タンクに貯留される低温貯留温度の湯水が給湯によって無くなったときは前記低温貯留を開始し、当該低温貯留が完了した後に前記定常貯留に移行することを特徴とする請求項１に記載の貯留式給湯装置。
【請求項４】
前記貯留タンクに貯留される定常貯留温度の湯水が給湯によって所定の最低貯留量未満に減少したときは前記定常貯留を開始することを特徴とする請求項１乃至３のいずれか１項に記載の貯留式給湯装置。
【請求項５】
前記熱源部で加熱された湯水を循環させる循環手段を有した熱源循環回路を備えると共に、前記貯留タンクの上部および下部が当該熱源循環回路に接続され、更に、前記貯留タンクの下部に給水流路が接続されると共に上部に給湯流路が接続されることを特徴とする請求項１乃至４のいずれか１項に記載の貯留式給湯装置。
【請求項６】
熱源部で加熱した湯水を循環させる熱源循環回路を備え、加熱された湯水を貯留タンクに温度成層を形成しつつ貯留し、貯留された湯水または補助熱源部で加熱された湯水の少なくともいずれかを用いて給湯を行う貯留式給湯装置であって、
前記貯留タンクに貯留される温度成層毎の湯水の温度および貯留量を検出する貯留状態検出手段を備え、前記貯留タンクの上部および下部は前記熱源循環回路に接続されると共に、前記貯留タンクの上部と下部の間の部位であって当該部位の上部側の貯留量が所定の第１貯留量となる部位と下部との間に貯留バイパス流路が設けられ、更に、前記貯留タンクの下部に給水流路を接続すると共に上部に給湯流路を接続して構成され、
前記補助熱源部による補助加熱を受けずに給湯可能な定常貯留温度の湯水が前記貯留タンクに所定の最低貯留量以上貯留されているときは、前記熱源循環回路で加熱された定常貯留温度の湯水を前記貯留タンクの上部から流入させつつ下部から排出される低温の湯水を熱源循環回路へ循環させて、定常貯留温度の湯水を所定の第１貯留量を上限として貯留する定常貯留を行う一方、
給湯によって前記貯留タンクに貯留される定常貯留温度の湯水が最低貯留量未満に減少したときは、前記熱源循環回路で加熱された定常貯留温度以下の湯水を貯留タンクの上部から流入させつつ前記貯留バイパス流路から排出される湯水を熱源循環回路へ循環させて、貯留バイパス流路より上部側に定常貯留温度を上限温度とする湯水を貯留する部分貯留を行うことを特徴とする貯留式給湯装置。
【請求項７】
前記補助熱源部は、前記熱源循環回路上に設けられることを特徴とする請求項５または６に記載の貯留式給湯装置。
【請求項８】
前記補助熱源部は、前記給湯流路上に設けられることを特徴とする請求項５または６に記載の貯留式給湯装置。
【請求項９】
前記給水流路と給湯流路の間に、給水流路を介して供給される低温水を給湯流路側へバイパスする給水バイパス流路を設けたことを特徴とする請求項５乃至８のいずれか１項に記載の貯留式給湯装置。
【請求項１０】
請求項１乃至９のいずれか１項に記載の貯留式給湯装置に、他のエネルギー供給系へエネルギーを供給するエネルギー生成装置を併設して構成されるコージェネレーションシステムであって、前記エネルギー生成装置で生じる排熱または余剰熱を熱媒体へ熱交換して循環させる排熱循環回路を有し、前記熱源部は、当該排熱循環回路を循環する熱媒体の熱を受けて湯水を加熱する熱交換器であることを特徴とするコージェネレーションシステム。
【発明の詳細な説明】
【技術分野】
【０００１】
本発明は、給湯温度の安定化を図った貯留式給湯装置に関する。同時に提案される本発明は、その貯留式給湯装置の熱源に発電装置の排熱を利用したコージェネレーションシステムに関する。
【背景技術】
【０００２】
熱源部で加熱した湯水を予め貯留タンクに貯留し、貯留された湯水を用いて給湯を行う貯留式給湯装置が実用化されている。また、貯留式給湯装置に発電装置を併設し、発電装置で生じる排熱を給湯装置の熱源として用いるコージェネレーションシステムが開発されている。
【０００３】
特許文献１には、このような貯留式の給湯装置が開示されている。特許文献１に開示された給湯装置は、図１３に示す基本構成を有する。図１３に示す給湯装置２００は、循環ポンプ２０４、熱源器２０３、補助熱源部２０５および貯留タンク２０６を環状に接続した熱源循環回路２１１を備えている。貯留タンク２０６の下部には、給水流路２０７が接続されると共に、貯留タンク２０６の上部には給湯流路２０８が接続されている。更に、給水流路２０７と給湯流路２０８の間には、給水バイパス流路２１２が設けられ、給水バイパス流路２１２と給湯流路２０８の接続部に混合弁２０９を配して構成される。
【０００４】
図１３に示す給湯装置２００は、発電装置２０２を併設したコージェネレーションシステム２１５を形成することも可能である。則ち、コージェネレーションシステム２１５においては、熱源循環回路２１１に配された熱源器２０３は、発電装置２０２の発電に伴う排熱を利用して湯水を加熱する熱源として機能する。
【０００５】
図１３に示す給湯装置２００は、次の動作により、貯留および給湯を行う。
給湯栓２１０が閉じられている期間は、貯留タンク２０６への湯水の貯留制御が行われる。貯留制御が開始されると、制御装置２０１は、循環ポンプ２０４を駆動して熱源循環回路２１１を循環する湯水を熱源器２０３で加熱し、加熱された湯水を貯留タンク２０６の上部から流入させつつ、貯留タンク２０６の下部から低温水を熱源器２０３側へ循環させることにより、貯留タンク２０６の内部に温度成層を形成しつつ高温水を貯留する。貯留制御により、貯留タンク２０６の上部側には、高温水２１３が所定量貯留され、貯留タンク２０６の残部は低温水２１４が貯留される。この貯留制御は、貯留タンク２０６の高温水２１３の貯留量が所定量に達するまで行われる。
【０００６】
一方、給湯栓２１０が開栓されると、貯留制御は中断されて給湯制御に切り換わる。給湯制御になると、制御装置２０１は、貯留タンク２０６から排出される湯水の温度、給水バイパス流路２１２を流動する低温水の温度および給湯流路２０８を流動する湯水の温度を監視しつつ混合弁２０９を制御する。そして、貯留タンク２０６から流出する高温水２１３と給水バイパス流路２１２を介して供給される低温水を混合して目的とする給湯設定温度の湯水を給湯する制御を行う。
【０００７】
ところで、貯留タンク２０６の高温水２１３の貯留量は、予め定められた所定量だけである。このため、給湯によって高温水２１３が全て排出されると、補助熱源部２０５の加熱による給湯が開始される。
【０００８】
則ち、貯留タンク２０６に貯留された高温水２１３が消費されると、貯留タンク２０６から排出される湯水の温度が低下する。これに伴い、制御装置２０１は、混合弁２０９の給水バイパス流路２１２側を閉止する。同時に、補助熱源部２０５および循環ポンプ２０４を作動させて、給水流路２０７を介して供給される低温水を循環ポンプ２０４によって補助熱源部２０５へ流動させ、補助熱源部２０５で加熱された湯水と貯留タンク２０６から流出する低温水２１４を混合しつつ、目的とする給湯設定温度の湯水を給湯する制御を行う。
【０００９】
則ち、図１３に示す給湯装置２００は、貯留タンク２０６に高温水２１３が貯留されているときは当該高温水２１３を用いて給湯を行い、高温水２１３が全て排出されると、補助熱源部２０５によって加熱された湯水を用いて給湯を行う装置である。
【特許文献１】特開２００２−１８１３８５号公報
【発明の開示】
【発明が解決しようとする課題】
【００１０】
ところが、図１３に示した給湯装置２００では、前記したように、貯留タンク２０６に高温水２１３と低温水２１４が温度成層を成す状態で貯留されるため、高温水２１３が排出されて低温水２１４に切り換わる時点で、給湯水の温度が一時的に著しく低下する不具合があった。
【００１１】
則ち、図１３に示した給湯装置２００では、制御装置２０１によって貯留タンク２０６から排出される湯水の温度が低温になったことを検知すると、検知時点から補助熱源部２０５による湯水の加熱を開始する。このため、補助熱源部２０５から給湯流路２０８側への加熱された湯水の供給が追い付かず、一時的に給湯される湯水の温度が低下するものであった。このため、使い勝手が悪く改善が望まれていた。
【００１２】
本発明は、前記事情に鑑みて提案されるもので、給湯温度の変動を抑えた安定した給湯を行う貯留式給湯装置を提供することを目的としている。同時に提案される本発明は、この貯留式給湯装置に併設される発電装置などの排熱や余剰熱を熱源として利用したコージェネレーションシステムを提供することを目的としている。
【課題を解決するための手段】
【００１３】
前記問題点を解決するために、本発明者らは次の技術的手段を講じた。
則ち、請求項１に記載の発明は、熱源部で加熱された湯水を貯留タンクに温度成層を形成しつつ貯留し、貯留された湯水または補助熱源部で加熱された湯水の少なくともいずれかを用いて給湯を行う貯留式給湯装置であって、貯留タンクに貯留される温度成層毎の湯水の温度および貯留量を検出する貯留状態検出手段を備えると共に、貯留タンクには、補助熱源部による補助加熱を受けずに給湯可能な定常貯留温度の湯水と、当該定常貯留温度よりも低く補助熱源部による補助加熱を受けて給湯可能な低温貯留温度の湯水とが貯留され、定常貯留温度の湯水の貯留に先立って、熱源部によって低温貯留温度に加熱された湯水を所定の第２貯留量を上限として貯留タンクに貯留する低温貯留を行い、当該低温貯留が完了した後に、熱源部によって定常貯留温度に加熱された湯水を所定の第１貯留量を上限として貯留タンクに貯留する定常貯留を行う構成とされている。
【００１４】
本発明によれば、貯留タンク内には、定常貯留温度に加熱された所定量の湯水と、低温貯留温度に加熱された所定量の湯水と、加熱されていない常温の低温水とが温度成層を形成しつつ貯留される。則ち、貯留タンクには、上部側から順に、定常貯留温度の湯水、低温貯留温度の湯水および加熱されていない常温の低温水が温度成層を形成しつつ貯留される。
【００１５】
従って、給湯中に定常貯留温度の湯水が全て排出された場合でも、いきなり加熱されていない低温水が排出されるのではなく低温貯留温度の湯水が排出され、この低温貯留温度の湯水の排出に伴って補助熱源部が駆動される。これにより、補助熱源部によって加熱された湯水が供給されるまでに多少の時間を要しても、少なくとも略低温貯留温度に加熱された湯水を継続して給湯することができる。従って、補助熱源部によって加熱された湯水の供給が行われるまでの間に、給湯温度が一時的に大きく低下することを効果的に防止することが可能となる。
【００１６】
また、本発明によれば、定常貯留温度と低温水との温度差に比べて、低温貯留温度と加熱されていない低温水との温度差は小さい。従って、給湯が継続して貯留されていた定常貯留温度の湯水が無くなり、更に、低温貯留温度の湯水が全て排出された場合でも、低温貯留温度の湯水から低温水への切り換わりに際しての温度変動幅が少ない。これにより、補助熱源部による加熱を伴う給湯温度の変動を効果的に抑えることが可能である。
【００１７】
本発明において、定常貯留温度、第１貯留量、低温貯留温度および第２貯留量は、熱源部の加熱能力や貯留タンクの総貯留量、給湯装置の給湯設定温度幅に応じて固定的に設定しても良く、過去の給湯実績に応じて可変設定することも可能である。
【００１８】
請求項２に記載の発明は、請求項１に記載の貯留式給湯装置において、貯留タンクに貯留される低温貯留温度の湯水が給湯によって第２貯留量未満に減少したときは低温貯留を開始し、当該低温貯留が完了した後に前記定常貯留に移行する構成とされている。
【００１９】
本発明は、請求項１に記載の貯留式給湯装置において、給湯によって貯留タンクに貯留された湯水が減少したときの貯留方法を規定したものである。
本発明によれば、給湯によって低温貯留温度の湯水が僅かでも排出されると、低温貯留が開始される。従って、低温貯留温度および第２貯留量を適宜に設定することにより、給湯が断続される期間が継続する場合であっても、低温貯留によって低温貯留温度の湯水を絶やすことなく貯留することが可能となる。これにより、給湯に際して補助熱源部における燃料消費量を削減することが可能となる。
【００２０】
ここで、低温貯留が開始された後に給湯が同時に行われる場合は、給湯と並行して低温貯留制御により熱源部によって加熱された湯水の供給が継続する。しかし、熱源部によって加熱された湯水は直接給湯に供されて貯留されないので、結果として、低温貯留は給湯中を除く期間、則ち、給湯の合間を縫って行われることとなる。
【００２１】
本発明において、低温貯留温度の湯水が第２貯留量だけ貯留されて低温貯留が完了すると、定常貯留に移行する。この場合、定常貯留は、定常貯留温度の湯水が上限である第１貯留量に至るまで継続する構成としても良く、定常貯留温度の湯水が所定量だけ貯留された時点で終了させる構成としても良い。
定常貯留が完了するまで継続させることにより、給湯によって定常貯留温度および低温貯留温度の湯水が減少しても、給湯の停止に伴って元の貯留状態に復帰させることができ、以降の給湯に対して充分な湯水を確保することができる。
【００２２】
本発明において、低温貯留温度および第２貯留量は、熱源部の加熱能力や貯留タンクの総貯留量、給湯装置の給湯設定温度幅に応じて固定的に設定しても良い。また、過去の給湯実績に応じて可変設定する構成を採ることもできる。
【００２３】
則ち、第２貯留量は、固定的に設定しても良く、過去の給湯実績に基づいて可変設定しても良い。また、低温貯留温度は、例えば、給湯が頻繁に繰り返される一連の給湯集中期間における給湯停止中に、第２貯留量だけの低温水を常温から昇温可能な温度に設定することができる。
低温貯留温度および第２貯留量をこのように設定することにより、給湯の合間を縫って低温貯留温度の湯水を絶やすことなく貯留することができ、補助熱源部の加熱による給湯中の温度変動を最小限に抑えることが可能である。しかも、補助熱源部の燃料消費量を削減することが可能となる。
【００２４】
請求項３に記載の発明は、請求項１に記載の貯留式給湯装置において、貯留タンクに貯留される低温貯留温度の湯水が給湯によって無くなったときは低温貯留を開始し、当該低温貯留が完了した後に定常貯留に移行する構成とされている。
【００２５】
本発明は、請求項１に記載の貯留式給湯装置において、給湯によって貯留タンクに貯留された湯水が減少したときの別の貯留方法を規定したものである。
則ち、前記請求項２に記載の発明は、低温貯留温度の湯水が規定の第２貯留量より僅かでも減少したときに、低温貯留を開始する構成であった。これに対して、本発明は、低温貯留温度の湯水が無くなったときに低温貯留を開始する構成である。
【００２６】
本発明によれば、請求項１に記載の発明と同様に、低温貯留温度の湯水が全て排出された場合でも、低温貯留温度の湯水から低温水への切り換わりに際しての温度変動幅が少ない。これにより、補助熱源部による加熱を伴う給湯温度の変動を効果的に抑えることが可能である。
また、第２貯留量を過去の給湯実績に応じて適宜に設定することにより、一連の給湯が行われる期間は、貯留した低温貯留温度の湯水によって給湯を賄い、一連の給湯が終了した時点で低温貯留温度の湯水が無くなるように設定することができる。これにより、一連の給湯の終了時点から低温貯留を開始して定常貯留に移行することができ、短時間に効率良く貯留を行うことが可能となる。
【００２７】
請求項４に記載の発明は、請求項１乃至３のいずれか１項に記載の貯留式給湯装置において、貯留タンクに貯留される定常貯留温度の湯水が給湯によって所定の最低貯留量未満に減少したときは定常貯留を開始する構成とされている。
【００２８】
本発明は、請求項１乃至３のいずれか１項に記載の貯留式給湯装置において、給湯によって貯留タンクに貯留された湯水が減少したときの更に別の貯留方法を規定したものである。
【００２９】
ここで、前記した低温貯留と同様に、定常貯留が開始された後に給湯が同時に行われる場合は、給湯と並行して定常貯留制御により熱源部によって加熱された湯水の供給が継続する。しかし、熱源部によって加熱された湯水は直接給湯に供されて貯留されないので、結果として、定常貯留は給湯中を除く期間、則ち、給湯の合間を縫って行われることとなる。
【００３０】
本発明によれば、給湯によって定常貯留温度の湯水の貯留量が所定の最低貯留量よりも減少したときは定常貯留が開始され、給湯の合間を縫って定常貯留が行われる。これにより、給湯に伴う定常貯留温度の湯水の貯留量の減少を抑えることができる。また、一連の給湯が停止すると、上限である第１貯留量まで定常貯留温度の湯水が貯留されて、以降の給湯に備えることが可能となる。
【００３１】
また、本発明によれば、定常貯留温度の湯水が最低貯留量未満に減少してから定常貯留が開始され、定常貯留温度の湯水が第１貯留量に至るまでは定常貯留が継続される。これにより、定常貯留温度の湯水を最低限確保しつつ、定常貯留の開始および停止が頻繁に繰り返される状態を回避することが可能となり、装置の耐久性の向上を図ることができる。
最低貯留量は、固定的に設定しても良く、過去の給湯実績に応じて可変設定することも可能である。
【００３２】
本発明の変形例としては、貯留タンクに貯留される定常貯留温度の湯水が給湯によって無くなったときは、定常貯留を開始する構成を採ることができる。この構成によれば、低温貯留温度の湯水を用いて給湯を行いつつ、給湯の合間を縫って定常貯留を行うことができ、定常貯留の開始および停止が頻繁に繰り返される状態を一層低減することが可能となる。
【００３３】
請求項５に記載の発明は、請求項１乃至４のいずれか１項に記載の貯留式給湯装置において、熱源部で加熱された湯水を循環させる循環手段を有した熱源循環回路を備えると共に、貯留タンクの上部および下部が当該熱源循環回路に接続され、更に、貯留タンクの下部に給水流路が接続されると共に上部に給湯流路が接続される構成とされている。
【００３４】
本発明によれば、熱源部で加熱された湯水を貯留タンクの上部から流入させると共に、貯留タンクの下部から流出する湯水を熱源部へ向けて循環させることにより、貯留タンクの上部から下方へ向けて温度成層を形成しつつ加熱された湯水を貯留することができる。また、給湯流路に設けた給湯栓を開栓することにより、給水流路を介して供給される低温水を貯留タンクの下部から流入させつつ、貯留タンクの上部から貯留された湯水を給湯流路へ流出させることが可能である。これにより、簡単な構成によって前記本発明を実施することが可能となる。
【００３５】
本発明において、熱源循環回路は、湯水を循環させる循環手段を有し、熱源部の下流側と循環手段の上流側を繋ぐリターン流路を設け、熱源部で加熱されて下流側へ流動する湯水の一部を循環手段の上流側に戻す構成を採ることができる。
この構成によれば、例えば、熱源部から湯水への熱伝達量が少ないために、循環手段による流動量を制御可能範囲を超えて低減しなければ湯水を目標温度に加熱できない場合であっても、熱源部からリターン流路側へ戻す湯水の流量を調整することにより、等価的に熱源部における湯水の流動量を低減できる。これにより、熱源部から下流側へ流動する湯水の温度を目標温度まで上昇させることが可能となる。
【００３６】
請求項６に記載の発明は、熱源部で加熱した湯水を循環させる熱源循環回路を備え、加熱された湯水を貯留タンクに温度成層を形成しつつ貯留し、貯留された湯水または補助熱源部で加熱された湯水の少なくともいずれかを用いて給湯を行う貯留式給湯装置であって、貯留タンクに貯留される温度成層毎の湯水の温度および貯留量を検出する貯留状態検出手段を備え、貯留タンクの上部および下部は熱源循環回路に接続されると共に、貯留タンクの上部と下部の間の部位であって当該部位の上部側の貯留量が所定の第１貯留量となる部位と下部との間に貯留バイパス流路が設けられ、更に、貯留タンクの下部に給水流路を接続すると共に上部に給湯流路を接続して構成され、補助熱源部による補助加熱を受けずに給湯可能な定常貯留温度の湯水が貯留タンクに所定の最低貯留量以上貯留されているときは、熱源循環回路で加熱された定常貯留温度の湯水を貯留タンクの上部から流入させつつ下部から排出される低温の湯水を熱源循環回路へ循環させて、定常貯留温度の湯水を所定の第１貯留量を上限として貯留する定常貯留を行う一方、給湯によって貯留タンクに貯留される定常貯留温度の湯水が最低貯留量未満に減少したときは、熱源循環回路で加熱された定常貯留温度以下の湯水を貯留タンクの上部から流入させつつ貯留バイパス流路から排出される湯水を熱源循環回路へ循環させて、貯留バイパス流路より上部側に定常貯留温度を上限温度とする湯水を貯留する部分貯留を行う構成とされている。
【００３７】
本発明によれば、定常貯留温度の湯水の貯留量が最低貯留量以上のときは、第１貯留量の湯水を貯留するべく定常貯留が行われる。
一方、定常貯留温度の湯水の貯留量が最低貯留量未満に減少すると、熱源循環回路は、貯留タンクの上部と貯留バイパス流路に接続されて部分貯留を行う。則ち、部分貯留が行われる間は、貯留タンクに加熱された湯水が流入する上部側と、湯水が流出する貯留バイパス流路との間に部分貯留領域が形成される。これにより、熱源循環回路で加熱された定常貯留温度またはそれ以下の温度の湯水を貯留タンクの上部から流入させつつ、貯留バイパス流路から排出される定常貯留温度以下の湯水を熱源循環回路へ循環させて、部分貯留領域の湯水を繰り返し加熱して上限温度である定常貯留温度まで昇温する。
【００３８】
則ち、本発明によれば、部分貯留が行われる間は、貯留バイパス流路から熱源循環回路側へ循環する湯水は常温の低温水ではなく、定常貯留温度以下であって常温よりも加熱された湯水であり、部分貯留が継続されるに連れて、貯留バイパス流路を流動する湯水の温度は次第に上昇する。これにより、定常貯留を行う場合のように、熱源循環回路の熱源部によって常温の低温水を定常貯留温度まで昇温するのに比べて、貯留バイパス流路よりも上部側の湯水を短時間に効率良く加熱することが可能となる。
【００３９】
また、部分貯留が行われている途中で給湯が開始された場合であっても、貯留タンクの貯留バイパス流路よりも上部側には、少なくとも常温よりも昇温された湯水が貯留されている。従って、常温よりも昇温された湯水を用いて給湯を行うことができ、補助熱源部の燃料消費量を削減することが可能となる。
【００４０】
更に、定常貯留温度（略７０℃）の湯水と常温（略２５℃）の湯水との温度差に比べて、部分貯留によって昇温された湯水と常温（略２５℃）の湯水との温度差は少ない。これにより、部分貯留が行われている途中で給湯が継続して昇温された湯水がなくなった場合でも、貯留タンクから排出される湯水の温度低下を補助熱源部によって容易に補償することができ、温度変動を抑えた安定した給湯を行うことが可能である。
【００４１】
また、本発明によれば、部分貯留が完了すると、貯留タンクの貯留バイパス流路よりも上部側には、定常貯留温度を上限温度とする湯水が貯留されて定常貯留が完了した状態と等価となり、以降の給湯に対して定常貯留温度に加熱された湯水を確保することが可能となる。
【００４２】
本発明において、定常貯留温度および第１貯留量および最低貯留量は、熱源部の加熱能力や貯留タンクの総貯留量、給湯装置の給湯設定温度幅に応じて固定的に設定しても良く、過去の給湯実績に応じて可変設定することも可能である。
【００４３】
請求項７に記載の発明は、請求項５または６に記載の貯留式給湯装置において、補助熱源部は、熱源循環回路上に設けられる構成とされている。
【００４４】
本発明によれば、熱源循環回路の循環手段を駆動することにより、給水流路を介して供給される低温水を貯留タンク側と熱源循環回路側とへ分流させることができる。従って、貯留タンク側へ分流した低温水によって、貯留タンクの上部側から貯留された湯水が給湯流路へ流出すると共に、熱源循環回路側へ分流した低温水は、補助熱源部で加熱されて給湯流路へ流出させることができる。これにより、貯留タンクに低温貯留温度の湯水や加熱されていない低温水だけが貯留されている場合でも、補助熱源部による補助加熱を受けて安定した給湯を行うことが可能である。
【００４５】
請求項８に記載の発明は、請求項５または６に記載の貯留式給湯装置において、補助熱源部は、給湯流路上に設けられる構成とされている。
【００４６】
本発明によれば、貯留タンクに低温貯留温度の湯水や加熱されていない低温水だけが貯留されている場合でも、貯留タンクから給湯流路へ流出した湯水を補助熱源部で加熱しつつ給湯することができる。これにより、補助熱源部による補助加熱を受けて安定した給湯を行うことが可能である。
【００４７】
請求項９に記載の発明は、請求項５乃至８のいずれか１項に記載の貯留式給湯装置において、給水流路と給湯流路の間に、給水流路を介して供給される低温水を給湯流路側へバイパスする給水バイパス流路を設けた構成とされている。
【００４８】
本発明によれば、給湯流路を流動する湯水と給水バイパス流路を流動する低温水との比率を調整することにより、目的とする給湯設定温度の湯水を安定して供給することが可能となる。本発明を前記請求項７の発明に適用する場合は、給水バイパス流路を補助熱源部の上流側に接続しても良く、逆に、給水バイパス流路を補助熱源部の下流側に接続しても良い。
本発明において、給湯流路を流動する湯水と給水バイパス流路を流動する低温水との比率は、混合弁などを用いて連続的に可変設定することができる。
【００４９】
請求項１０に記載の発明は、請求項１乃至９のいずれか１項に記載の貯留式給湯装置に、他のエネルギー供給系へエネルギーを供給するエネルギー生成装置を併設して構成されるコージェネレーションシステムであって、前記エネルギー生成装置で生じる排熱または余剰熱を熱媒体へ熱交換して循環させる排熱循環回路を有し、前記熱源部は、当該排熱循環回路を循環する熱媒体の熱を受けて湯水を加熱する熱交換器である構成とされている。
【００５０】
本発明によれば、エネルギー生成装置で生成されたエネルギーを他のエネルギー供給系へ供給すると同時に、エネルギー生成装置で生じた排熱や余剰熱を利用して熱源部によって湯水を加熱して貯留することができる。これによりトータルエネルギー効率を向上させたコージェネレーションシステムを形成することが可能となる。
【００５１】
本発明において、エネルギー供給系としては、例えば、エネルギー生成装置としての発電装置を備え、当該発電装置で生成した電力を外部の電気機器へ供給する構成を採ることができる。この構成によれば、発電装置で生じた排熱を利用して熱源部を加熱することが可能となる。
【００５２】
また、別のエネルギー供給系としては、エネルギー生成装置としてのガスヒートポンプなどを備え、当該ガスヒートポンプによって空調を行う構成を採ることができる。この構成によれば、ガスヒートポンプで生じた排熱を利用して熱源部を加熱することが可能となる。
また、別のエネルギー供給系としては、エネルギー生成装置としてのソーラー装置を備え、当該ソーラー装置によって他の系へ湯水の供給を行う構成を採ることができる。この構成によれば、ソーラー装置で生じた余剰熱を利用して熱源部を加熱することが可能となる。
【発明の効果】
【００５３】
請求項１〜５に記載の貯留式給湯装置によれば、定常貯留温度の湯水が無くなった場合でも、低温貯留温度の湯水を供給しつつ補助熱源部で加熱された湯水によって給湯を継続することができ、給湯温度の変動を抑えた安定した給湯を行うことが可能となる。また給湯の合間を縫って効率良く貯留を行うことができ、補助熱源部による燃料消費量を削減することが可能となる。
請求項６に記載の貯留式給湯装置によれば、定常貯留温度の湯水が減少した場合でも、給湯の合間を縫って部分貯留を行うことにより、定常貯留温度の湯水を効率良く貯留することができ、給湯温度の変動を抑えた安定した給湯を行うことが可能となる。
請求項７〜９に記載の発明によれば、使用目的に応じた最適な構成の貯留式給湯装置を提供できる。
請求項１０に記載の発明によれば、エネルギー供給系で生じる排熱や余剰熱を用いて湯水を加熱することができ、トータルエネルギー効率を向上させたコージェネレーションシステムを提供できる。
【発明を実施するための最良の形態】
【００５４】
以下に、図面を参照して本発明の実施形態を説明する。
図１は、本発明の実施形態に係る貯留式給湯装置２を備えたコージェネレーションシステム１の流路系統図、図２は、図１の給湯装置２における貯留タンクの湯水の貯留状態を示す説明図、図３は、図１の給湯装置２の制御動作を示すフローチャートである。また、図４〜図６は、給湯装置の変形例を備えて構成されるコージェネレーションシステムの流路系統図である。
【００５５】
本実施形態のコージェネレーションシステム１は、図１の様に、湯水の給湯を行う貯留式給湯装置２と、電力を発電する発電装置５と、これらの給湯装置２および発電装置５の各部の制御を統括する制御装置６を備えて構成される。
【００５６】
発電装置５は、電力を発電して外部の電気機器７へ供給する機能を有する。則ち、発電装置５は、ガスエンジンなどで発電機を駆動して発電するガス発電装置や、燃料電池などで起電力を生成する燃料電池発電装置で構成される。発電装置５は、発電に伴ってガスエンジンや燃料電池などで生成される排熱を熱媒体に熱交換し、後述する給湯装置２側へ循環させる排熱循環回路５０を備えている。
【００５７】
制御装置６は、発電装置５と接続されて、発電制御や排熱循環回路５０の循環制御を行う。また、制御装置６は、給湯装置２の各部に設けた制御機器やセンサーあるいは弁などに配線接続されて給湯制御を統括する機能を備えている。
【００５８】
貯留式給湯装置２は、給湯栓２１の開栓に応じて給湯設定温度に加熱された湯水を給湯する機能を有する。本実施形態では湯水を加熱する熱源として、熱源器（熱源部）１０と燃焼機（補助熱源部）１２を備えている。給湯装置２は、熱源循環回路１５、給水流路１６、給水バイパス流路１９、給湯流路１７の各流路を備え、これらの各流路上に熱源器１０、燃焼機１２および貯留タンク１３を配置して構成される。
【００５９】
熱源循環回路１５は、熱源器１０の下流側に延びる循環往路３１と、熱源器１０の上流側に延びる循環復路３２とを備え、当該循環往路３１および循環復路３２の端部に貯留タンク１３を接続した環状の流路である。
循環往路３１には燃焼機１２が配され、当該燃焼機１２の上流側には温度センサー２４および流量センサー２５が設けられると共に、燃焼機１２の下流側には、温度センサー２６が設けられている。循環往路３１の下流端は、貯留タンク１３の上部配管２２に接続されている。また、循環復路３２には循環ポンプ１１が配され、循環復路３２の上流端は、貯留タンク１３の下部配管２３に接続されている。
【００６０】
熱源器１０は熱交換器で構成される熱源であり、熱交換器の１次側を、発電装置５に設けられた排熱循環回路５０の排熱循環往路５１および排熱循環復路５２に接続すると共に、熱交換器の２次側を熱源循環回路１５に接続している。則ち、熱源器１０は、発電装置５から延びる排熱循環回路５０を循環する熱媒体の熱を熱源循環回路１５を循環する湯水に熱交換して加熱する機能を有する。
また、燃焼機１２は、ガスの燃焼熱によって湯水を加熱する給湯器である。
【００６１】
貯留タンク１３は、低温水や加熱された湯水を貯留する上下が閉塞された円筒形のタンクであり、上部中央には内部に連通する上部配管２２が接続されると共に、下部中央にも内部に連通する下部配管２３が接続されている。本実施形態では、貯留タンク１３に略１５０リットルの容量を有するタンクを用いている。
貯留タンク１３の上部配管２２には、温度センサー１４ａが設けられると共に、貯留タンク１３の外周壁には、タンクに貯留された湯水の温度を検知する３個の温度センサー１４ｂ〜１４ｄが上下方向に所定間隔をおいて設けられている。これらの温度センサー１４ａ〜１４ｄによって貯留状態検出手段１４を形成している。
【００６２】
熱源循環回路１５は、循環ポンプ１１によって循環する湯水を熱源器１０で加熱し、加熱された湯水を循環往路３１を介して貯留タンク１３の上部配管２２から流入させると共に、貯留タンク１３の下部配管２３から等量の低温水を循環復路３２へ流出させ、貯留タンク１３に加熱された湯水を温度成層を形成しつつ貯留する機能を有する。
また、熱源循環回路１５は、循環往路３１を流動する湯水を燃焼機１２で補助的に加熱して給湯流路１７側へ供給する機能を兼ね備えている。
【００６３】
給水流路１６は、貯留タンク１３の下部配管２３に接続されて、給水栓（不図示）から供給される低温水を貯留タンク１３の内部や熱源循環回路１５の循環復路３２へ供給する流路である。給水流路１６の途中には、給水温度センサー３０が設けられている。
【００６４】
貯留タンク１３の上部配管２２には、熱源循環回路１５の循環往路３１に加えて給湯流路１７が接続され、当該給湯流路１７の途中には混合弁２０が配されている。また、混合弁２０には、前記給水流路１６から分岐する給水バイパス流路１９が接続されている。
尚、説明の便宜上、混合弁２０の上流側を出湯流路１７ａとし、混合弁２０の下流側を給湯流路１７ｂとして区別し、これら出湯流路１７ａと給湯流路１７ｂの双方を給湯流路１７と称するものとする。出湯流路１７ａの途中には出湯温度センサー２７が設けられると共に、給湯流路１７ｂの途中には給湯温度センサー２８および給湯流量センサー２９が設けられている。
【００６５】
混合弁２０は、出湯流路１７ａ側の加熱された湯水と給水バイパス流路１９側の低温水との混合比率を連続的に制御する機能を有し、制御装置６によって混合弁２０の混合比率を調節制御することにより、給湯流路１７ｂへ流動する湯水を目的の給湯設定温度に調節する。
【００６６】
また、本実施形態の給湯装置２は、熱源器１０の下流側の循環往路３１上に分流弁３３を設けると共に、分流弁３３から分岐するリターン流路３４を循環ポンプ１１の上流側の循環復路３２に接続した構成を採用している。
則ち、熱源器１０から循環往路３１へ流動する加熱された湯水の一部をリターン流路３４側へ分流させることによって、再度熱源器１０を通過させる構成としている。リターン流路３４を設けることにより、熱源器１０を通過する湯水への熱交換率を等価的に向上させることができ、分流弁３３を調整して下流側へ流動する湯水の温度を制御可能な構成を採っている。
【００６７】
次に、本実施形態のコージェネレーションシステム１の制御動作を、図１〜図３を参照して説明する。
本実施形態のコージェネレーションシステム１を敷設して通電すると、制御装置６は初期設定を行った後に、給湯装置２の各流路および貯留タンク１３の内部に、給水流路１６を介して供給される常温の低温水を充填する処理を行う（以上、図２（ａ）、図３ステップ１００，１０１参照）。
【００６８】
低温水の充填処理が終了すると、制御装置６は、加熱された湯水を貯留タンク１３に貯留する初期貯留を開始する。初期貯留は、低温貯留と定常貯留を連続して行うもので、システム１の稼働に先立って、貯留タンク１３に加熱された湯水を所定量貯留する。尚、本実施形態では、システム１の稼働に先立って初期貯留を行う構成としているが、初期貯留を省略して直ちに給湯可能な構成を採ることも可能である。
【００６９】
低温貯留が開始されると、制御装置６は、発電装置５を制御しつつ、排熱循環回路５０を流動する熱媒体の温度が所定温度となるように循環制御を行う。同時に、給湯装置２の循環ポンプ１１を駆動して熱源循環回路１５の湯水の循環を開始する。制御装置６は、温度センサー２４によって熱源器１０の下流側の湯水の温度を監視しつつ、当該温度センサー２４の検知温度が低温貯留温度（略４０℃）となるように、循環ポンプ１１の循環量および分流弁３３の分流量の制御を行う。これにより、熱源器１０で低温貯留温度に加熱された湯水は、循環往路３１の燃焼機（補助熱源部）１２を素通りし、上部配管２２を介して貯留タンク１３の上部に流入する。同時に、貯留タンク１３の下部配管２３から流出する等量の低温水は循環復路３２を介して熱源器１０側へ循環する。そして、図２（ｂ）の様に、貯留タンク１３の上部側から低温貯留温度（略４０℃）に加熱された湯水が貯留されていく。
【００７０】
低温貯留は、貯留状態検出手段１４によって所定の第２貯留量（本実施形態では、略５０リットルに設定）が検出されるまで継続される。則ち、図２（ｂ）の様に、貯留状態検出手段１４の温度センサー１４ｃが低温貯留温度を検出するまで低温貯留が継続される。そして、温度センサー１４ｃが低温貯留温度を検出すると、制御装置６は、低温貯留温度（４０℃）に加熱された湯水が第２貯留量だけ貯留されたことを判別して、低温貯留を完了する。低温貯留が完了すると、図２（ｂ）の様に、貯留タンク１３の上部側に低温貯留温度（４０℃）に加熱された湯水が層を成して貯留され、下部側には常温（略２５℃）の低温水が貯留されて温度成層が形成される（以上、図２（ｂ）、図３ステップ１０２ａ参照）。
【００７１】
低温貯留が完了すると、定常貯留に移行する。定常貯留に移行すると、制御装置６は、発電装置５を制御して排熱循環回路５０を循環する熱媒体の温度が、低温貯留時よりも高い所定温度となるように循環制御を行う。同時に、温度センサー２４によって熱源器１０の下流側の湯水の温度を監視しつつ、当該温度センサー２４の検知温度が定常貯留温度（本実施形態では略７０℃に設定）となるように、循環ポンプ１１の循環量および分流弁３３の分流量の制御を行う。
【００７２】
定常貯留が行われると、図２（ｃ）の様に、上部配管２２から定常貯留温度（略７０℃）に加熱された湯水が貯留タンク１３に流入し、等量の低温水（略２５℃）が下部配管２３から循環復路３２へ流出しつつ、熱源循環回路１５の循環が継続される。定常貯留は、貯留状態検出手段１４によって所定の第１貯留量（本実施形態では、略５０リットルに設定）が検出されるまで継続される。則ち、図２（ｃ）の様に、貯留状態検出手段１４の温度センサー１４ｃが定常貯留温度を検出するまで定常貯留が継続される。そして、温度センサー１４ｃが定常貯留温度を検出すると、制御装置６は、定常貯留温度（７０℃）に加熱された湯水が第１貯留量だけ貯留されたことを判別して、定常貯留を完了する（以上、図２（ｃ）、図３ステップ１０２ｂ参照）。
【００７３】
定常貯留が完了すると、図２（ｃ）の様に、貯留タンク１３の最上部側に定常貯留温度（略７０℃）に加熱された湯水が層を成して貯留されると共に、その下部に低温貯留温度（略４０℃）に加熱された湯水が層を成して貯留され、下部側には常温（略２５℃）の低温水が貯留されて温度成層が形成される。
以上の制御により、貯留タンク１３への初期貯留が完了する。初期貯留が完了すると、制御装置６は、発電装置５の制御、および、熱源循環回路１５の循環ポンプ１１の制御を停止し、給湯栓２１の開栓を監視する給湯監視状態に入る（以上、図３ステップ１０２，１０３参照）。
【００７４】
給湯栓２１が開栓されて給湯流路１７ｂの給湯流量センサー２９が最小作動水量（Minimum Operation Quantity：以下ＭＯＱと記載）を検知すると、制御装置６は給湯栓２１が開栓されたことを判別して給湯運転を開始する。
給湯運転が開始されると、制御装置６は、温度センサー１４ａ，２６，２７、給水温度センサー３０、および、給湯温度センサー２８の検知温度を参照しつつ、給湯温度センサー２８の検知温度が給湯設定温度となるように混合弁２０の混合比および燃焼機１２の駆動を制御する。
【００７５】
制御装置６は、温度センサー１４ａによって貯留タンク１３の上部配管２２から流出する湯水の温度を参照し、給湯設定温度以上であれば、燃焼機１２を駆動せずに、貯留された定常貯留温度の湯水を用いて給湯を行う。
給湯が開始されると、混合弁２０の混合比に応じた低温水が下部配管２３から貯留タンク１３に流入すると共に、貯留タンク１３から上部配管２２を介して出湯流路１７ａへ定常貯留温度（略７０℃）に加熱された湯水が流出して混合弁２０に到る。また、混合弁２０の混合比に応じた低温水が給水バイパス流路１９を経て混合弁に到る。そして、混合弁２０で混合された湯水は目的とする給湯設定温度となって給湯流路１７ｂを流動して給湯栓２１から排出される（以上、図３ステップ１０３，１１５，１１７参照）。尚、本実施形態では、目的とする給湯設定温度が予め制御装置６で設定記憶されているものとする。
【００７６】
給湯が行われると、図２（ｄ）の様に、貯留タンク１３に貯留された定常貯留温度（略７０℃）の湯水が次第に減少する。更に給湯運転が継続して、定常貯留温度の湯水の貯留量がゼロになると、図２（ｅ）の様に、貯留タンク１３から流出する湯水は、定常貯留温度（略７０℃）の湯水から低温貯留温度（略４０℃）の湯水に切り換わる。制御装置６は、湯水の温度の切り換わりを温度センサー１４ａによって判別して燃焼機（補助燃焼部）１２の駆動を開始する（以上、図２（ｄ），（ｅ）、図３ステップ１０３，１１５〜１１７参照）。
【００７７】
則ち、貯留タンク１３に定常貯留温度（７０℃）の湯水が貯留されている期間は、その定常貯留温度の湯水を排出しつつ給湯が行われるが、定常貯留温度の湯水が無くなると、貯留された低温貯留温度（略４０℃）の湯水と、燃焼機１２で加熱された湯水の双方を用いた給湯に切り換わる。
【００７８】
ここで、本実施形態では、図２（ｅ）の様に、略７０℃の定常貯留温度の湯水が無くなっても、引き続いて排出される湯水が略４０℃の低温貯留温度に加熱されている。従って、燃焼機１２が駆動されて高温水が出湯流路１７ａに供給されるまでに多少の時間を要しても、いきなり常温の低温水が排出される場合に比べて出湯流路１７ａを流動する湯水を高温に維持することができる。
【００７９】
これにより、貯留タンク１３に貯留された湯水が定常貯留温度の湯水から低温貯留温度の湯水に切り換わる際の給湯流路１７ｂ側の給湯温度の低下を抑制している。
また、貯留タンク１３に略５０リットルの定常貯留温度（略７０℃）の湯水に加えて、同量の低温貯留温度（略４０℃）の湯水が貯留されているので、給湯が長時間継続した場合でも温度変動を抑えた給湯を行うことができる。更に、燃焼機１２が駆動される給湯時においても、低温貯留温度の湯水を用いた給湯を行うので、燃焼機１２における燃料消費量を削減することが可能である。
【００８０】
給湯が更に継続すると、図２（ｆ）の様に、貯留タンク１３に貯留された低温貯留温度の湯水が減少する。そして、図２（ｇ）の様に、低温貯留温度の湯水の貯留量がゼロになると、貯留タンク１３の内部は全て常温（略２５℃）の低温水となり、貯留タンク１３から排出される常温（略２５℃）の低温水と、燃焼機１２による加熱された湯水とを混合した給湯に切り換わる。
【００８１】
則ち、制御装置６は、上部配管２２の温度センサー１４ａの検知温度が常温に低下すると、低温貯留温度の湯水の貯留量がゼロとなったことを判別する。そして、燃焼機１２の燃焼量を増大させてより高温に加熱された湯水を出湯流路１７ａ側へ流動させると共に、貯留タンク１３から常温（略２５℃）の低温水を出湯流路１７ａへ排出する。そして、混合された湯水を混合弁を介して給湯流路１７ｂへ供給して給湯を継続する（以上、図２（ｆ），（ｇ）、図３ステップ１０３，１１５〜１１７参照）。
【００８２】
ここで、低温貯留温度（略４０℃）の湯水と常温（略２５℃）の湯水との温度差は、定常貯留温度（略７０℃）の湯水と常温（略２５℃）の湯水との温度差に比べて少ない。また、低温貯留温度の湯水の貯留量がゼロになった時点では、燃焼機１２は既に駆動されている。従って、貯留タンク１３から出湯流路１７ａへ排出される湯水の温度低下を、燃焼機１２の燃焼量の増加によって容易に補償することができ、給湯温度の変動を抑えた安定した給湯を行うことが可能である。
【００８３】
以上、給湯が長時間継続した場合の制御動作を説明したが、本実施形態の給湯装置２（システム１）は、貯留タンク１３の湯水の貯留量に応じて貯留運転が行われる。以下に、貯留制御の詳細を説明する。
【００８４】
尚、以下の説明において、低温フラグとは低温貯留制御が開始されたときにオンとなるフラグを指し、定常フラグとは定常貯留制御が開始されたときにオンとなるフラグを指すもので、いずれも制御装置６によってオン・オフされるフラグである。これらのフラグはステップ１００の初期設定においていずれもオフとされる。
また、以下の説明では、一旦、低温フラグまたは定常フラグがオンされて低温貯留または定常貯留が開始されると、給湯中であっても給湯と並行して貯留制御が行われるものとして述べる。但し、給湯と並行して貯留制御が行われる期間は、熱源部によって加熱された湯水は直接給湯に供されて貯留されないので、結果として、貯留運転は給湯中を除く期間、則ち、給湯の合間を縫って行われることとなる。
【００８５】
制御装置６は、ステップ１０４において貯留状態検出手段１４によって貯留タンク１３の湯水の貯留量を検出する。そして、図２（ｂ）〜（ｄ）の様に、低温貯留温度（略４０℃）の湯水の貯留量が上限である第２貯留量（略５０リットル）に達しているときは、図３のステップ１０４からステップ１０８，１０９を経て１１３へ進み、定常貯留温度（略７０℃）の湯水の貯留量の検出を行う（以上、図３ステップ１０３，１０４，１０８，１０９，１１３参照）。尚、この時点では、低温フラグおよび定常フラグはオフしている。
【００８６】
ステップ１１３の検出の結果、定常貯留温度（略７０℃）の湯水の貯留量が最低貯留量（本実施形態では略２０リットルに設定）以上であるときは貯留を行わず、給湯に応じて、貯留タンク１３に貯留された湯水を用いて給湯を行う（以上、図３ステップ１０３，１０４，１０８，１０９，１１３，１１５〜１１７参照）。
【００８７】
しかし、ステップ１１３において、定常貯留温度（略７０℃）の湯水の貯留量が最低貯留量（略２０リットル）未満のときは、制御装置６は、定常フラグをオンに切り換える。そして、ステップ１０３，１０４，１０８〜１１１を循環しつつ、定常貯留温度の湯水を貯留する定常貯留を開始する。定常貯留を開始した後に、ステップ１１０において定常貯留温度（略７０℃）の湯水の貯留量が第１貯留量（略５０リットル）に達したことが判別されると、制御装置６は、定常フラグをオフに切り換えて定常貯留を完了する（以上、図３ステップ１１３，１１４，１０３，１０４，１０８〜１１２参照）。
定常貯留が完了すると、貯留タンク１３には、第２貯留量の低温貯留温度（略４０℃）の湯水の上に第１貯留量の定常貯留温度（略７０℃）の湯水が温度成層を成して貯留されて、前記ステップ１０２で述べた初期貯留が完了した状態と同一となる。
【００８８】
尚、図３のステップ１０４において、低温貯留温度（略４０℃）の湯水の貯留量が第２貯留量だけ貯留されているか否かの判別は、定常貯留温度（略７０℃）の湯水の有無によって判別している。則ち、本実施形態の給湯装置２は、定常貯留温度の湯水が僅かでも貯留されているときは、低温貯留温度の湯水は上限である第２貯留量だけ貯留されている。従って、制御装置６は、給湯が停止された時点の温度センサー１４ａの検知温度が定常貯留温度であるか否かによって、低温貯留温度の湯水の貯留量の判別を行っている。
また、図３のステップ１１３において、定常貯留温度（略７０℃）の湯水の貯留量が最低貯留量以上であるか否かの判別は、図２（ｄ）の様に、温度センサー１４ｂの検知温度が定常貯留温度であるか否かによって行っている。
【００８９】
一方、ステップ１０４において、貯留タンク１３の湯水の貯留量を検出した結果、低温貯留温度（略４０℃）の湯水の貯留量が第２貯留量未満のときは、制御装置６は、低温フラグをオンに切り換え、ステップ１０３〜１０５，１０７を循環しつつ低温貯留を開始する。低温貯留を開始した後に、ステップ１０４において低温貯留温度（略４０℃）の湯水の貯留量が第２貯留量に達したことが判別されると、制御装置６は、低温フラグをオフに切り換えて低温貯留を完了し、ステップ１０９に進む（以上、図３ステップ１０３〜１０８参照）。低温貯留が完了すると、貯留タンク１３には、低温貯留温度（略４０℃）の湯水が第２貯留量だけ貯留された状態であるが、定常貯留温度（略７０℃）の湯水の貯留量はゼロである。また、この状態では定常貯留が行われていないので、定常フラグはオフである。
【００９０】
尚、ステップ１０４における低温貯留温度の湯水が第２貯留量であるか否かの判別は、温度センサー１４ｃの検知温度によって判別する。則ち、図２（ｅ）の様に、温度センサー１４ｃの検知温度が略４０℃であれば、低温貯留温度の湯水の貯留量が第２貯留量であると判別し、温度センサー１４ｃの検知温度が略２５℃であれば、低温貯留温度の湯水の貯留量が第２貯留量に達していないものと判別している。
【００９１】
ここで、本実施形態では、一回の給湯で使用される給湯量を略２０リットルとし、２回から３回の給湯を賄うことのできる貯留量である略５０リットルを第２貯留量としている。また、低温貯留温度を、給湯の断続が頻繁に繰り返される一連の給湯期間において、給湯の合間を縫って第２貯留量（５０リットル）の低温水を昇温可能な温度である４０℃に設定している。
【００９２】
言い換えれば、第２貯留量および低温貯留温度を各々５０リットルと４０℃に設定することにより、一連の給湯期間において、低温貯留温度の湯水を絶やすことなく貯留することが可能となる。これにより、定常貯留温度（略７０℃）の湯水が無くなった場合でも、給湯に際して、低温貯留温度の湯水と燃焼機１２で加熱された湯水とを用いて給湯を行うことができ、燃焼機１２における燃料消費量を削減することが可能である。
【００９３】
制御装置６は、低温貯留を完了した後、ステップ１０９に進んだ時点で定常フラグがオフであるので、ステップ１０９からステップ１１３へ進んで定常貯留温度（略７０℃）の湯水の貯留量を検出する。しかし、この時点では貯留量がゼロであるので、定常フラグをオンに切り換え、ステップ１０３，１０４，１０８〜１１１を循環しつつ、前記した同様の制御によって定常貯留を開始する。そして、ステップ１１０において定常貯留温度（略７０℃）の湯水の貯留量が第１貯留量に達したことが判別されると、定常フラグをオフにして定常貯留を完了する（以上、図３ステップ１０３，１０４，１０８〜１１４参照）。
【００９４】
このように、本実施形態の給湯装置２（コージェネレーションシステム１）によれば、貯留タンク１３に定常貯留温度（略７０℃）の湯水と低温貯留温度（略４０℃）の湯水が温度成層を成して貯留される。従って、定常貯留温度の湯水が消費されて燃焼機１２の補助加熱を伴う燃焼に切り換わる際に、低温貯留温度（略４０℃）の湯水を排出しつつ給湯が行われる。これにより、燃焼機１２の起動の際の加熱された湯水の供給が遅れても給湯温度の低下を効果的に防止することが可能である。
【００９５】
また、定常貯留温度（略７０℃）の湯水が最低貯留量未満に減少すると、給湯の合間を縫って、熱源器１０によって定常貯留温度（略７０℃）に加熱された湯水が貯留される。更に、定常貯留温度の湯水が無くなった場合でも、熱源器１０によって低温貯留温度（略４０℃）に加熱された湯水を絶やすことなく効率良く貯留することができる。これにより、燃焼機（補助熱源部）１２の燃料消費を抑えることができ、しかも、低温貯留温度の湯水が全て排出された場合の給湯温度の変動を効果的に抑制することが可能となる。
【００９６】
尚、本実施形態では、前記したように、貯留タンク１３の総容量を１５０リットルとし、定常貯留温度（略７０℃）の湯水の貯留量の上限を第１貯留量である略５０リットルに固定的に設定すると共に、最低貯留量を略２０リットルに固定的に設定した。また、低温貯留温度（略４０℃）の湯水の貯留量の上限を第２貯留量である略５０リットルに固定的に設定した。しかし、例えば、制御装置６によって過去の給湯データを記憶し、記憶されたデータに基づいて第１貯留量、第２貯留量および最低貯留量を最適に設定する構成を採ることも可能である。
【００９７】
また、本実施形態では、定常貯留温度（略７０℃）の湯水の貯留量が最低貯留量（略２０リットル）未満に減少したときに定常貯留を開始する構成としたが、定常貯留温度の湯水の貯留量がゼロになったときに定常貯留を開始する構成としても良い。
また、本実施形態では、低温貯留温度（略４０℃）の湯水の貯留量が規定の第２貯留量（略５０リットル）よりも減少したときに低温貯留を開始する構成としたが、低温貯留温度の湯水の貯留量がゼロになったときに低温貯留を開始する構成とすることも可能である。
【００９８】
ここで、本実施形態で示した貯留式給湯装置２は、図１の様に、燃焼機（補助熱源部）１２を熱源循環回路１５上に配すると共に、給水流路１６と給湯流路１７との間に給水バイパス流路１９を設けた構成を採用した。しかし、本発明はこのような構成に限られるものではない。以下に、貯留式給湯装置２の変形例を図４〜図６を参照して説明する。尚、図１の給湯装置２と同一構成部分には同一の符号を付して重複した説明を省略する。
【００９９】
図４に示す貯留式給湯装置６０は、前記図１に示した貯留式給湯装置２の給水バイパス流路１９を取り除いた構成を有する。また、給湯装置２の混合弁２０に代えて、熱源循環回路１５の循環往路３１と貯留タンク１３の上部配管２２の接続部に混合弁６１を配し、当該混合弁６１に給湯流路１７を接続した構成としている。
【０１００】
図４に示す給湯装置６０において、低温貯留や定常貯留を行う場合は、混合弁６１を制御して循環往路３１と上部配管２２を連通させ、熱源器１０で加熱された湯水を貯留タンク１３を介して熱源循環回路１５を循環させる制御を行う。
また、給湯を行う場合は、貯留タンク１３に貯留された定常貯留温度の湯水または低温貯留温度の湯水と、循環往路３１から流入する低温水または燃焼機１２で補助加熱された湯水を混合弁６１で混合しつつ、給湯流路１７へ流出させる給湯制御が行われる。
図４に示す給湯装置６０においても、前記した給湯装置２と同様の低温貯留および定常貯留を行うことにより、給湯温度の変動を抑えた安定した給湯を行うことが可能である。
【０１０１】
図５に示す貯留式給湯装置６５は、前記図１に示した貯留式給湯装置２の燃焼機１２の配置を変更した構成を有する。則ち、前記給湯装置２は、熱源循環回路１５上に燃焼機１２を配した構成であったが、給湯装置６５は、燃焼機１２を出湯流路１７ａ上に配した構成である。
【０１０２】
図５に示す給湯装置６５において、貯留タンク１３へ湯水を貯留する制御は、図１に示した給湯装置２と同様である。
また、給湯を行う場合は、貯留タンク１３に定常貯留温度（略７０℃）の湯水が貯留されているときは、燃焼機１２を駆動せずに素通りさせた定常貯留温度の湯水と常温（略２５℃）の低温水を混合弁２０で混合しつつ給湯流路１７ｂへ給湯が行われる。
【０１０３】
また、貯留タンク１３に定常貯留温度（略７０℃）の湯水が貯留されていないときは、燃焼機１２を駆動して低温貯留温度（略４０℃）の湯水または低温水を燃焼機１２で補助加熱しつつ混合弁２０を介して給湯流路１７ｂへ流出させる給湯制御を行う。
図５に示す給湯装置６５においても、前記した給湯装置２と同様の低温貯留および定常貯留を行うことにより、給湯温度の変動を抑えた安定した給湯を行うことが可能である。
【０１０４】
図６に示す貯留式給湯装置７０は、前記図５に示した貯留式給湯装置６５の燃焼機１２の配置を更に変更した構成を有する。則ち、前記給湯装置６５は、出湯流路１７ａ上に燃焼機１２を配した構成であったが、給湯装置７０は、燃焼機１２を給湯流路１７ｂ上に配した構成である。
【０１０５】
図６に示す給湯装置７０において、貯留タンク１３へ湯水を貯留する制御は、図１に示した給湯装置２と同様である。
また、給湯を行う場合は、貯留タンク１３に定常貯留温度（略７０℃）の湯水が貯留されているときは、定常貯留温度の湯水と常温（略２５℃）の低温水を混合弁２０で混合しつつ給湯流路１７ｂへ流出させ、燃焼機１２を駆動せずに素通りさせて給湯を行う。
【０１０６】
また、貯留タンク１３に定常貯留温度（略７０℃）の湯水が貯留されていないときは、混合弁２０を介して給湯流路１７ｂへ流出する低温貯留温度（略４０℃）の湯水または低温水を、燃焼機１２で補助加熱しつつ給湯する制御を行う。
図６に示す給湯装置７０においても、前記した給湯装置２と同様の低温貯留および定常貯留を行うことにより、給湯温度の変動を抑えた安定した給湯を行うことが可能である。
【０１０７】
次に、本発明の別の実施形態に係る貯留式給湯装置７５を備えたコージェネレーションシステム３を説明する。
図７は、給湯装置７５を備えたコージェネレーションシステム３の流路系統図、図８は、図７の給湯装置７５における貯留タンクの湯水の貯留状態を示す説明図、図９は、給湯装置７５の制御動作を示すフローチャートである。また、図１０〜図１２は、給湯装置の変形例を備えて構成されるコージェネレーションシステム３の流路系統図である。尚、本実施形態の給湯装置７５は、前記図１に示した給湯装置２の構成の一部を変更したものである。従って、前記した給湯装置２と同一構成部分には同一の符号を付して重複した説明を省略する。
【０１０８】
貯留式給湯装置７５は、図７の様に、基本的な構成は前記図１に示した給湯装置２と同一である。但し、給湯装置７５は、貯留タンク１３の途中と下部とをバイパスする貯留バイパス流路７６を追加した構成を有する。
貯留バイパス流路７６の一端は、貯留タンク１３の上部と下部の間の部位であって、当該部位の上部側の貯留量が第１貯留量（本実施形態では略５０リットル）となる部位に接続されている。また、貯留バイパス流路７６の他端は、貯留タンク１３の下部、則ち、下部配管２３が接続される熱源循環回路１５の循環復路３２へ接続されている。
本実施形態では、貯留タンク１３の総容量を略１５０リットルとし、貯留バイパス流路７６の一端を、貯留タンク１３の高さの略１／３の長さだけ上端から下方の部位に接続することにより、貯留バイパス流路７６の上部側の容量を第１貯留量（略５０リットル）としている。
【０１０９】
貯留バイパス流路７６と循環復路３２の接続部位には三方弁７８が設けられ、当該三方弁７８の切換制御によって、下部配管２３から流出する低温水を熱源器１０側へ流動させる状態と、バイパス流路から流出する湯水を熱源器１０側へ流動させる状態とを切り換え可能な構成とされている。
【０１１０】
尚、前記図１で示した給湯装置２は、熱源器１０による湯水の加熱温度を増加させるリターン流路３４を設けたが、本実施形態の給湯装置７５では、リターン流路３４を設けない構成を採用している。
【０１１１】
次に、本実施形態の貯留式給湯装置７５を備えたコージェネレーションシステム３の制御動作を、図７〜図９を参照して説明する。
本実施形態のコージェネレーションシステム３を敷設して通電すると、制御装置６は初期設定を行った後に、給湯装置７５の各流路および貯留タンク１３の内部に低温水を充填する処理を行う（以上、図８（ａ）、図９ステップ１２０，１２１参照）。
【０１１２】
低温水の充填処理が終了すると、制御装置６は、加熱された湯水を貯留タンク１３に貯留する初期貯留を開始する。初期貯留は、システム３の稼働に先立って、貯留タンク１３に加熱された湯水を所定量だけ貯留する定常貯留を行う制御である。尚、本実施形態では、システム３の稼働に先立って初期貯留を行う構成としているが、初期貯留を省略して直ちに給湯可能な構成とすることも可能である。
【０１１３】
初期貯留（定常貯留）が開始されると、制御装置６は、三方弁７８を制御して下部配管２３から流出する低温水が熱源器１０側へ流動する状態に切り換える。そして、発電装置５を制御して排熱循環回路５０を流動する熱媒体の温度が所定温度となるように循環制御を行う。同時に、温度センサー２４によって熱源器１０の下流側の湯水の温度を監視しつつ、当該温度センサー２４の検知温度が定常貯留温度（本実施形態では略７０℃に設定）となるように、循環ポンプ１１の循環量を制御する。
【０１１４】
定常貯留が行われると、図８（ｂ）の様に、上部配管２２から定常貯留温度（略７０℃）に加熱された湯水が貯留タンク１３に流入し、等量の低温水（略２５℃）が下部配管２３から循環復路３２へ流出しつつ、熱源循環回路１５の循環が継続される。定常貯留は、貯留状態検出手段１４によって所定の第１貯留量（略５０リットル）が検出されるまで継続される。則ち、図８（ｂ）の様に、貯留状態検出手段１４の温度センサー１４ｃが定常貯留温度（略７０℃）を検出するまで定常貯留が継続され、温度センサー１４ｃが定常貯留温度を検出すると、制御装置６は、定常貯留温度（７０℃）に加熱された湯水が第１貯留量だけ貯留されたことを判別して、定常貯留を完了する（以上、図８（ａ），（ｂ）、図９ステップ１２２参照）。
【０１１５】
定常貯留が完了すると、図８（ｂ）の様に、貯留タンク１３の上部側に定常貯留温度（略７０℃）に加熱された湯水が層を成して貯留され、下部側には常温（略２５℃）の低温水が貯留されて温度成層が形成される。
以上の制御により、貯留タンク１３への初期貯留が完了する。初期貯留が完了すると、制御装置６は、発電装置５の制御、および、熱源循環回路１５の循環ポンプ１１の制御を停止し、給湯栓２１の開栓を監視する給湯監視状態に入る（以上、図９ステップ１２２，１２３参照）。
【０１１６】
給湯栓２１が開栓されて給湯流路１７ｂの給湯流量センサー２９がＭＯＱを検知すると、制御装置６は給湯栓２１が開栓されたことを判別して給湯制御を開始する。
給湯制御が開始されると、制御装置６は、温度センサー１４ａ，２７、給水温度センサー３０、および、給湯温度センサー２８の検知温度を参照しつつ、給湯温度センサー２８の検知温度が給湯設定温度となるように混合弁２０の混合比および燃焼機１２の駆動を制御する（以上、図９ステップ１２３，１３２参照）。
【０１１７】
給湯中は制御装置６は、温度センサー１４ａによって貯留タンク１３の上部配管２２から流出する湯水の温度を参照し、定常貯留温度（略７０℃）であれば、燃焼機１２を駆動せずに、貯留された定常貯留温度の湯水を用いて給湯を行う。
給湯が行われると、図８（ｃ）の様に、貯留タンク１３に貯留された定常貯留温度（略７０℃）の湯水が次第に減少する。
【０１１８】
一方、制御装置６は、貯留タンク１３の湯水の貯留量に応じて定常貯留または部分貯留を行う。尚、以下の説明で述べる部分貯留フラグとは部分貯留制御が開始されたときにオンとなるフラグであり、制御装置６によってオン・オフされるフラグである。尚、ステップ１２０の初期設定によって部分貯留フラグはオフに設定される。
【０１１９】
制御装置６は、ステップ１２５において貯留状態検出手段１４によって貯留タンク１３の湯水の貯留量を検出する。検出の結果、定常貯留温度（略７０℃）の湯水が上限である第１貯留量（略５０リットル）に達しているときは、貯留を行わずに給湯を待機する（以上、図９ステップ１２３〜１２５参照）。
しかし、ステップ１２５における検出の結果、定常貯留温度の湯水の貯留量が第１貯留量未満で、且つ、最低貯留量（本実施形態では略２０リットルに設定）以上のときは、ステップ１２３〜１２６，１２８を循環しつつ定常貯留を開始する。そして、定常貯留を開始した後に、ステップ１２５で貯留量が上限の第１貯留量に達したことが判別されると定常貯留を完了する（以上、図９ステップ１２３〜１２６，１２８参照）。
【０１２０】
尚、ステップ１２５において、定常貯留温度（略７０℃）の湯水が第１貯留量だけ貯留されているか否かの判別は、図８（ｂ）の様に、貯留状態検出手段１４の温度センサー１４ｃが定常貯留温度を検出しているか否かによって行う。また、ステップ１２６において、定常貯留温度（略７０℃）の湯水が最低貯留量以上貯留されているか否かの判別は、図８（ｃ）の様に、貯留状態検出手段１４の温度センサー１４ｂが定常貯留温度（略７０℃）を検出しているか否かによって行う。
【０１２１】
一方、ステップ１２６において、定常貯留温度の湯水の貯留量が最低貯留量（略２０リットル）未満の状態を判別したときは（図８ｃ参照）、制御装置６は、部分貯留フラグをオンに切り換え、ステップ１２３，１２４，１２９，１３０を循環しつつ部分貯留を開始する（以上、図９ステップ１２３〜１２７，１２９，１３０参照）。
部分貯留を開始すると、制御装置６は、三方弁７８を貯留バイパス流路７６から流出する湯水が熱源器１０側へ流動する状態に切り換える。そして、図８（ｄ）の様に、熱源器１０で加熱した湯水を上部配管２２を介して貯留タンク１３に流入させつつ、貯留バイパス流路７６から流出する湯水を熱源器１０側へ戻す循環を行う。
【０１２２】
則ち、貯留バイパス流路７６よりも上部側の湯水を貯留バイパス流路７６介して熱源器１０側へ繰り返し循環させて昇温させる部分貯留が行われる。この部分貯留は、給湯の合間を縫って行われ、貯留バイパス流路７６を流動する湯水の温度が定常貯留温度（略７０℃）に至るまで継続される。（以上、図９ステップ１２３，１２４，１２９，１３０参照）。
【０１２３】
部分貯留が継続されて、貯留バイパス流路７６に設けた温度センサー７７の検知温度が定常貯留温度（略７０℃）に至ると、制御装置６は、部分貯留フラグをオフにし、発電装置５の制御および熱源循環回路の循環ポンプ１１の駆動を停止して部分貯留を終了する（以上、図９ステップ１２３，１２４，１２９，１３１参照）。
【０１２４】
ここで、本実施形態では、第１貯留量（略５０リットル）と、貯留タンク１３の貯留バイパス流路７６よりも上部側の貯留量（第１貯留量）とを同一としている。従って、部分貯留が継続して貯留バイパス流路７６を流動する湯水の温度が定常貯留温度（略７０℃）に至ると、貯留バイパス流路７６の上部側に貯留される湯水が全て定常貯留温度となり、定常貯留が完了した場合と同一の状態となる。従って、給湯に伴って定常貯留温度の湯水の貯留量が最低貯留量（略２０リットル）未満に減少したときは、給湯の合間を縫って、部分貯留を行うことにより、貯留バイパス流路７６の上部側の湯水を昇温し、当該加熱された湯水を用いて給湯が行われる。また、給湯が停止した後は、部分貯留によって貯留バイパス流路７６よりも上部側の湯水を定常貯留温度（略７０℃）まで加熱することにより、元の定常貯留が完了した状態に復帰する。
【０１２５】
このように、本実施形態の貯留式給湯装置７５によれば、部分貯留中は、貯留バイパス流路７６から熱源循環回路１５側へ循環する湯水は常温の低温水ではなく、定常貯留温度（略７０℃）以下であって常温（略２５℃）よりも加熱された湯水である。これにより、定常貯留を行う場合のように、熱源循環回路１５の熱源部１０によって常温の低温水を定常貯留温度まで昇温するのに比べて、貯留バイパス流路７６よりも上部側の湯水を短時間に効率良く加熱することができる。
【０１２６】
また、部分貯留が行われている途中で給湯が開始された場合でも、貯留タンク１３の貯留バイパス流路７６よりも上部側には、少なくとも常温よりも昇温された湯水が貯留されている。従って、常温よりも昇温された湯水を用いて給湯を行うことができ、補助熱源部１２の燃料消費量を削減することが可能となる。
【０１２７】
また、定常貯留温度（略７０℃）の湯水と常温（略２５℃）の湯水との温度差に比べて、部分貯留によって昇温された湯水と常温（略２５℃）の湯水との温度差は少ない。これにより、部分貯留が行われている途中で給湯が継続して昇温された湯水がなくなった場合でも、貯留タンク１３から出湯流路１７ａへ排出される湯水の温度低下を、燃焼機１２の燃焼量の増加によって容易に補償することができ、温度変動を抑えた安定した給湯を行うことが可能となる。
【０１２８】
更に、部分貯留が完了すると、貯留タンクの貯留バイパス流路よりも上部側には、定常貯留温度を上限温度とする湯水が貯留されて定常貯留が完了した状態と等価となり、以降の給湯に対して定常貯留温度（略７０℃）に加熱された湯水を確保することが可能となる。
【０１２９】
尚、本実施形態では、定常貯留温度（略７０℃）の湯水の第１貯留量（略５０リットル）と、貯留バイパス流路７６の上部側の貯留タンク１３の貯留量（略５０リットル）とが略同一となる構成を採用したが、第１貯留量および貯留バイパス流路７６の配置部位は、給湯状態に応じて適宜に設定することが可能である。また、制御装置６によって過去の給湯データを記憶し、記憶された給湯データに基づいて第１貯留量を最適に設定する構成を採ることも可能である。
【０１３０】
ここで、本実施形態で示した貯留式給湯装置７５は、燃焼機（補助熱源部）１２を熱源循環回路１５上に配すると共に、給水流路１６と給湯流路１７との間に給水バイパス流路１９を設けた構成を採用したが、本発明はこのような構成に限られるものではない。以下に、貯留式給湯装置７５の変形例を、図１０〜図１２を参照して説明する。尚、図７で示した給湯装置７５と同一構成部分には同一の符号を付して重複した説明を省略する。また、以下に示す給湯装置では、前記実施形態の給湯装置２で設けたリターン流路３４を省略した構成としている。
【０１３１】
図１０に示す貯留式給湯装置８０は、前記図４に示した貯留式給湯装置６０に、貯留タンク１３の中央部と下部とをバイパスする貯留バイパス流路７６を追加した構成を備え、三方弁７８によって、下部配管２３から流出する低温水を熱源器１０側へ流動させる状態と、バイパス流路から流出する湯水を熱源器１０側へ流動させる状態とを切り換え可能な構成とされている。
【０１３２】
図１０に示す給湯装置８０は、貯留タンク１３へ湯水を貯留する場合は、前記図７に示した給湯装置７５と同様の貯留制御を行う。また、給湯を行う場合は、前記図４に示した給湯装置６０と同様の給湯制御を行う。
図１０に示す給湯装置８０においても、前記図７に示した給湯装置７５と同様に給湯温度の変動を抑えた安定した給湯を行うことが可能となる。
【０１３３】
図１１に示す貯留式給湯装置８５は、前記図５に示した貯留式給湯装置６５に、貯留タンク１３の中央部と下部とをバイパスする貯留バイパス流路７６を追加した構成とされている。
図１１に示す給湯装置８５は、貯留タンク１３へ湯水を貯留する場合は、前記図７に示した給湯装置７５と同様の貯留制御を行う。また、給湯を行う場合は、前記図５に示した給湯装置６５と同様の給湯制御を行う。
図１１に示す給湯装置８５においても、前記図７に示した給湯装置７５と同様に給湯温度の変動を抑えた安定した給湯を行うことが可能となる。
【０１３４】
図１２に示す貯留式給湯装置９０は、前記図６に示した貯留式給湯装置７０に、貯留タンク１３の中央部と下部とをバイパスする貯留バイパス流路７６を追加した構成とされている。
図１２に示す給湯装置９０は、貯留タンク１３へ湯水を貯留する場合は、前記図７に示した給湯装置７５と同様の貯留制御を行う。また、給湯を行う場合は、前記図６に示した給湯装置７０と同様の給湯制御を行う。
図１２に示す給湯装置９０においても、前記図７に示した給湯装置７５と同様に給湯温度の変動を抑えた安定した給湯を行うことが可能となる。
【０１３５】
以上、本発明の実施形態を説明したが、前記図１、図４〜図６、および、図７、図１０〜図１２に示したコージェネレーションシステムでは、外部電気機器７へ電力を供給する発電装置５を給湯装置に併設した構成とした。しかし、本発明はこのような構成に限られるものではなく、ヒートポンプを用いた空調装置やソーラー装置を併設し、これらの装置で生じる排熱や余剰熱を排熱循環回路５０を介して熱源器１０へ循環させる構成を採ることも可能である。
【図面の簡単な説明】
【０１３６】
【図１】本発明の実施形態に係る貯留式給湯装置を備えたコージェネレーションシステムの流路系統図である。
【図２】（ａ）〜（ｇ）は、図１の貯留式給湯装置における貯留タンクの湯水の貯留状態を示す説明図である。
【図３】図１の貯留式給湯装置の制御動作を示すフローチャートである。
【図４】図１の貯留式給湯装置の変形例を備えたコージェネレーションシステムの流路系統図である。
【図５】図１の貯留式給湯装置の別の変形例を備えたコージェネレーションシステムの流路系統図である。
【図６】図１の貯留式給湯装置の更に別の変形例を備えたコージェネレーションシステムの流路系統図である。
【図７】本発明の別の実施形態に係る貯留式給湯装置を備えたコージェネレーションシステムの流路系統図である。
【図８】（ａ）〜（ｄ）は、図７の貯留式給湯装置における貯留タンクの湯水の貯留状態を示す説明図である。
【図９】図７の貯留式給湯装置の制御動作を示すフローチャートである。
【図１０】図７の貯留式給湯装置の変形例を備えたコージェネレーションシステムの流路系統図である。
【図１１】図７の貯留式給湯装置の別の変形例を備えたコージェネレーションシステムの流路系統図である。
【図１２】図７の貯留式給湯装置の更に別の変形例を備えたコージェネレーションシステムの流路系統図である。
【図１３】従来の給湯装置の流路系統図である。
【符号の説明】
【０１３７】
１，３  コージェネレーションシステム
２，６０，６５，７０，７５，８０，８５，９０    貯留式給湯装置
５      発電装置
１０    熱源部（熱源器）
１２    補助熱源部（燃焼機）
１３    貯留タンク
１４    貯留状態検出手段
１５    熱源循環回路
１６    給水流路
１７    給湯流路
１９    給水バイパス流路
５０    排熱循環回路
７６    貯留バイパス流路
【図１】
2005207618.tif 000003
【図２】
2005207618.tif 000004
【図３】
2005207618.tif 000005
【図４】
2005207618.tif 000006
【図５】
2005207618.tif 000007
【図６】
2005207618.tif 000008
【図７】
2005207618.tif 000009
【図８】
2005207618.tif 000010
【図９】
2005207618.tif 000011
【図１０】
2005207618.tif 000012
【図１１】
2005207618.tif 000013
【図１２】
2005207618.tif 000014
【図１３】
2005207618.tif 000015